(57)【要約】【課題】リモートコントローラからのコマンド信号を安定して受信可能であるとともに、小型化、薄型化を可能とした電子機器を提供する。【解決手段】  筐体１２の操作面１４に複数の操作ボタン２０が設けられている。操作ボタンの少なくとも１つには、リモートコントローラから供給されるコマンド信号を通過させる受光窓２２が形成されている。筐体内にはコマンド信号を検知するセンサ５２が設けられ、受光窓と対向している。【選択図】  図３
2006324799.tif 000002
【特許請求の範囲】
【請求項１】
操作面を有した筐体と、
前記筐体の操作面に設けられた複数の操作ボタンと、
前記操作ボタンの少なくとも１つに設けられ、リモートコントローラから供給されるコマンド信号を通過させる受光窓と、
前記筐体内で、前記受光窓に対向して設けられ前記コマンド信号を検知するセンサと、を備えた電子機器。
【請求項２】
前記受光窓は、前記操作ボタンの中心部に形成され、光透過性を有した保護カバーにより覆われている請求項１に記載の電子機器。
【請求項３】
前記操作ボタンは、前記受光窓から偏心して位置した押圧突部を有し、
前記筐体内に前記センサと並んで設けられ前記操作ボタンの押圧突部によって押圧可能なスイッチを備えている請求項２に記載の電子機器。
【請求項４】
前記筐体内で前記操作面に対向して設けられた回路基板を備え、
前記センサおよびスイッチは前記回路基板上に実装され、前記センサは、前記スイッチよりも前記操作ボタン側に接近して設けられ、前記受光窓と対向した受光部を有している請求項３に記載の電子機器。
【請求項５】
前記操作ボタンは、前記受光窓が形成された本体と、本体から延出しているとともに前記筐体に支持された延出端を有したアーム部と、を備え、前記アーム部の延出端の周りで移動自在に設けられ、
前記押圧突部は、前記アーム部に対し、前記本体の反対側に設けられている請求項３又は４に記載の電子機器。
【請求項６】
前記筐体は偏平な矩形箱状に形成されているとともに前記操作面を構成した前面を備えている請求項１に記載の電子機器。
【請求項７】
前記操作面に設けられた表示部と、前記筐体内に記録媒体を装填する装填部と、を備えている電子機器。
【請求項８】
前記複数の操作ボタンは、電源ボタン、再生ボタン、および前記記録媒体をイジェクトするイジェクトボタンを含み、前記受光窓は前記イジェクトボタンに設けられている請求項７に記載の電子機器。
【請求項９】
前記筐体内に配設され、ディスク状の記録媒体に対して情報の記録、読出しを行うディスクドライブと、前記筐体内に設けられ、前記ディスクドライブに記録情報を供給するとともに読出された情報を処理するデータ処理部と、制御部とを備え、前記制御部は、前記センサにより検出されたコマンド信号を判定する操作入力判定部を有している請求項１に記載の電子機器。
【請求項１０】
矩形箱状に形成されているとともに操作面を構成した前面を有した筐体と、
前記筐体内に配設され、ディスク状の記録媒体に対して情報の記録、読出しを行うディスクドライブと、
前記筐体の操作面に設けられた複数の操作ボタンと、
前記操作ボタンの少なくとも１つに設けられ、リモートコントローラから供給されるコマンド信号を通過させる受光窓と、
前記筐体内で、前記受光窓に対向して設けられ前記コマンド信号を検知するセンサと、を備えた電子機器。
【発明の詳細な説明】
【技術分野】
【０００１】
この発明は、リモートコントローラによって遠隔操作可能な電子機器に関する。
【背景技術】
【０００２】
近年、電子機器として、例えば、ＭＤプレーヤ、ＤＶＤレコーダ、ハードディスクレコーダ等の音楽記録再生装置や画像記録再生装置が広く用いられている。このような記録再生装置は、一般に、矩形箱状の筐体を備えている。筐体内部には、記録媒体を駆動するドライブ、記録再生機構、種々のデータ処理部、制御部等が設けられている。筐体の前面には、記録媒体を装填するためのスロットあるいはトレイ、装置の各種動作を行うための複数の操作ボタン、および装置の動作状態等を表示する表示部が設けられている。
【０００３】
また、多くの場合、記録再生装置は、リモートコントローラからのコマンド信号により遠隔操作可能に構成されている。筐体の前面には、リモートコントローラから供給されるコマンド信号が入力される受光窓が設けられている。
【０００４】
近年、記録再生装置の小型化、薄型化が図られ、筐体前面の面積も減少しつつある。そのため、狭いスペースに操作ボタン、表示部、リモートコントローラ受光窓等を設ける必要がある。更に、機種デザインおよび操作性向上の面から、各操作ボタンおよび表示部が大きく設計されるようになり、受光窓の設置スペースを確保することが困難となりつつある。
【０００５】
例えば、特許文献１には、デザイン性の向上を図る目的で、リモートコントローラからのコマンド信号を受光する受光窓を、装置の筐体に設けられているロゴプレートにおける文字／図形の空白部分、あるいは筐体に表示された文字／図形間の空白部分に設けた構成が示されている。
【特許文献１】特開平８−１０７５９０号公報
【発明の開示】
【発明が解決しようとする課題】
【０００６】
上記のような、ロゴプレートあるいは表示文字の空白部分に受光窓を設けた構成では、受光窓が目立たず、電子機器の外観デザイン向上を図ることが可能となる。しかしながら、電子機器の筐体を小型化、薄型化した場合、ロゴプレートおよび表示文字の配置スペースも減少し、ロゴプレートおよび表示文字自体を小さくする必要がある。これに伴い、受光窓も小さくなり、十分な大きさの受光面積を確保することが困難となる。この場合、リモートコントローラから供給されるコマンド信号の受光感度が低下し、操作の安定性が下がるおそれがある。
【０００７】
この発明は以上の点に鑑みなされたもので、その目的は、リモートコントローラからのコマンド信号を安定して受信可能であるとともに、小型化、薄型化を可能とした電子機器を提供することにある。
【課題を解決するための手段】
【０００８】
上記目的を達成するため、この発明の態様に係る電子機器は、操作面を有した筐体と、前記筐体の操作面に設けられた複数の操作ボタンと、前記操作ボタンの少なくとも１つに設けられ、リモートコントローラから供給されるコマンド信号を通過させる受光窓と、前記筐体内で、前記受光窓に対向して設けられ前記コマンド信号を検知するセンサと、を備えている。
【０００９】
この発明の他の態様に係る電子機器は、矩形箱状に形成されているとともに操作面を構成した前面を有した筐体と、前記筐体内に配設され、ディスク状の記録媒体に対して情報の記録、読出しを行うディスクドライブと、前記筐体の操作面に設けられた複数の操作ボタンと、前記操作ボタンの少なくとも１つに設けられ、リモートコントローラから供給されるコマンド信号を通過させる受光窓と、前記筐体内で、前記受光窓に対向して設けられ前記コマンド信号を検知するセンサと、を備えている。
【発明の効果】
【００１０】
この発明の態様によれば、操作ボタンに受光窓を設けることにより、リモートコントローラからのコマンド信号を安定して受信可能であるとともに、小型化、薄型化を可能とした電子機器を提供することができる。
【発明を実施するための最良の形態】
【００１１】
以下図面を参照しながら、この発明に係る電子機器を記録再生装置に適用した実施形態について詳細に説明する。  
記録再生装置は、記録媒体としての光ディスクに対して情報の記録、読出しを行う画像記録再生装置として構成されている。また、後述するように、記録再生装置は、他の記録媒体としてハードディスクを備え、このディスクに対して情報の記録、読出しを行う。また、記録再生装置は、リモートコントローラから供給されるコマンド信号により、遠隔操作可能に構成されている。
【００１２】
図１に示すように、記録再生装置１０は偏平な矩形箱状に形成された筐体１２を備えている。筐体１２は、平坦な天板１２ａ、複数の脚１３が設けられた底板１２ｂ、および鉛直に立設された前面パネル１２ｃを有し、前面パネル１２ｃは操作面１４を構成している。
【００１３】
筐体１２の操作面１４には複数の操作ボタンが設けられている。これらの操作ボタンは、記録再生装置の電源をオン・オフするための電源ボタン２４ａ、動作を停止するための停止ボタン２４ｂ、再生ボタン２４ｃ、録画ボタン２４ｄ、ハードディスクドライブ（以下、ＨＤＤと称する）を選択するためのＨＤＤ選択ボタン２６ａ、ＤＶＤドライブを選択するためのＤＶＤ選択ボタン２６ｂ、および、筐体内から光ディスクと取り出すためのイジェクトボタン２０を含んでいる。これらの操作ボタンは、水平方向に沿って一列に並んで設けられている。イジェクトボタン２０は、操作面１４の一端部に設けられ、他の操作ボタンから離間している。比較的使用頻度の高い電源ボタン２４ａ、停止ボタン２４ｂ、再生ボタン２４ｃ、録画ボタン２４ｄ、イジェクトボタン２０は、ＨＤＤ選択ボタン２６ａおよびＤＶＤ選択ボタン２６ｂよりも大きく形成されている。
【００１４】
筐体１２の操作面１４のほぼ中央部には、筐体１２内に対して光ディスクを装填およびイジェクトするための装填部が設けられている。本実施形態において、装填部は筐体１２から前方へ引き出し可能なディスクトレイ１６により構成されている。ディスクトレイ１６は、イジェクトボタン２０が押されると筐体１２から引き出され、再度イジェクトボタンが押されると筐体１２内に引き込まれ、トレイ上の光ディスクを筐体内に装填する。なお、装填部は、操作面１４に開口した挿入スロット等により構成してもよい。
【００１５】
また、操作面１４には、記録再生装置の動作状態を表示する表示部１８が設けられ、ディスクトレイ１６とイジェクトボタン２０との間に位置している。更に、操作面１４には、比較的使用頻度の少なく複数の図示しない操作ボタンが設けられ、開閉自在なカバー１５によって覆われている。
【００１６】
複数の操作ボタンの内、例えば、イジェクトボタン２０には、リモートコントローラ３０から供給されたコマンド信号を通過させる受光窓２２が形成されている。以下、イジェクトボタン２０および受光部について詳細に説明する。
【００１７】
図２は、イジェクトボタンを含む筐体１２の前部および筐体内に配設されるプリント回路基板を示し、図３は、イジェクトボタンを含む受光部近傍の断面構造を示し、図４はイジェクトボタンを拡大して示している。
【００１８】
図３および図４に示すように、イジェクトボタン２０は、ほぼ円形のカップ形状に形成された本体２０ａ、本体から径方向に延出したＵ字形状のアーム部２８、本体から前記アーム部２８と反対方向に延出した突出部２４、この突出部から本体の中心軸とほぼ平行に延出した押圧突部２６、および、アーム部２８の延出端に立設され、それぞれ本体の中心軸と平行に延びた３本の支持ポスト３６を有し、合成樹脂等により一体成形されている。
【００１９】
本体２０ａの中心部には円形の受光窓２２が形成され、本体と同芯的に位置している。本体２０ａの裏側には、光透過性を有した保護カバー３２が嵌合され受光窓２２を覆っている。受光窓２２内において、保護カバー３２の表面には、イジェクトを示すマークが印刷されている。このマークは、光透過性を有するインクにより印刷されている。
【００２０】
イジェクトボタンの押圧突部２６は、本体２０ａの中心に対し偏心して設けられている。押圧突部２６の延出端には、後述するイジェクトスイッチを押圧する小径の突起２７が突設されている。また、各支持ポスト３６の延出端には、後述するプリント回路基板に係合する小径の突起３６ａが突設されている。アーム部２８の延出端部には３つの凹所３４が形成され、それぞれ支持ポスト３６内に延出している。
【００２１】
図２および図３に示すように、筐体１２の前面パネル１２ｃにおいて、表示部１８の側方には、円形の透孔４４が形成されている。そして、上記のように構成されたイジェクトボタン２０は、その本体２０ａを前面パネル１２ｃの裏側から透孔４４内に挿通した状態で配設されている。これにより、本体２０ａの底部および受光窓２２は、前面パネル１２ｃから前方へ突出し、操作面１４に露出している。アーム部２８の延出端に形成された凹所３４は、前面パネル１２ｃの内面に突設された係合突起４２にそれぞれ係合している。
【００２２】
筐体１２内には、矩形状のプリント回路基板５０が配設されている。プリント回路基板５０は、前面パネル１２ｃの内面に突設された複数のボス４０にねじ止めされ、前面パネル１２ｃと隙間を置いて平行に対向している。プリント回路基板５０には、３つの係合孔５１が形成されている。イジェクトボタン２０の支持ポスト３６は、その延出端がプリント回路基板５０に当接しているとともに突起３６ａが係合孔５１に挿入されている。これにより、イジェクトボタン２０のアーム部２８の延出端部は、前面パネル１２ｃとプリント回路基板５０との間に挟まれた状態で、かつ、係合突起４２により位置決めされた状態で、保持されている。イジェクトボタン２０の本体２０ａが筐体１２の前面側から押し込まれると、アーム部２８が弾性変形し、本体２０ａはアーム部の延出端を支点として筐体１２側に移動する。また、本体２０ａへの押圧力が除かれると、本体２０ａはアーム部２８の弾性により元に位置に復帰する。
【００２３】
プリント回路基板５０上にはコマンド信号を検知する受光センサ５２およびイジェクトスイッチ５４が実装されている。受光センサ５２は、イジェクトボタン２０の本体２０ａの近傍に位置している。また、受光センサ５２は、本体２０ａの中心軸上に位置し受光窓２２に隣接対向した受光部５２ａを有している。イジェクトスイッチ５４は受光センサ５２と並んで設けられ、受光窓２２の中心に対して偏心した位置に配置されている。また、イジェクトスイッチ５４は、イジェクトボタン２０の押圧突部２６と対向している。なお、受光センサの受光部５２ａは、イジェクトスイッチ５４よりもイジェクトボタン２０側に接近して設けられ、本体２０ａの中に位置している。
【００２４】
プリント回路基板５０上には、表示部を構成する液晶表示パネル５６、コネクタ５８ｂ、その他、複数の電子素子が実装されている。また、プリント回路基板５０からはフレキシブルプリント回路基板５８ａが延出し、後述する制御部に接続されている。液晶表示パネル５６は前面パネル１２ｃに設けられた表示部１８に対向している。表示部１８は、例えば、透明な樹脂板により形成され、液晶表示パネル５６に表示された文字、数字、画像を透過して前方に向けて表示する。
【００２５】
図１および図３に示すように、リモートコントローラ３０から供給されたコマンド信号は、イジェクトボタン２０の受光窓２２および保護カバー３２を通過し、受光センサ５２の受光部５２ａに入射する。そして、受光センサ５２は、受光部５２ａによりコマンド信号を検知し、その検知信号を制御部へ出力する。この際、受光センサ５２は、イジェクトボタン２０の本体２０ａの中心軸と同軸的に位置し、受光窓２２の中心と対向している。そのため、リモートコントローラ３０から供給されたコマンド信号を確実にかつ安定して検知することができる。
【００２６】
イジェクトボタン２０は使用頻度の高い操作ボタンであり、多数回押下されることにより、指先の汚れがイジェクトボタンに付着するおそれがある。このような汚れは、受光センサ５２の感度に悪影響を与え易い。そこで、汚れ付着を防止するため、保護カバー３２は、表面が光沢処理された金型を用いて成形され、保護カバーの表面は、凹凸の無い円滑な表面に形成されている。
【００２７】
イジェクトボタン２０の本体２０ａが押下されると、押圧突部２６に設けられた突起２７によりイジェクトスイッチ５４が押されオンされる。この際、押圧突部２６は、本体２０ａに対し、移動支点となるアーム部先端部の反対側に位置しているため、本体２０ａよりも移動量が大きく、イジェクトスイッチ５４を確実に切替えることができる。そして、イジェクトスイッチ５４のオン信号は制御部に出力される。制御部は、オン信号に応じて、ディスクトレイ１６を筐体１２から引き出された位置に移動させ、光ディスクの取り出し、あるいは、装填を可能とする。イジェクトボタン２０が再度押下され、イジェクトスイッチ５４がオンされると、制御部はディスクトレイ１６を筐体１２内へ移動させる。これにより、ディスクトレイ１６に載置された光ディスクを筐体１２内に取り込むことができる。
【００２８】
以上のように構成された記録再生装置によれば、リモートコントローラ３０から供給されたコマンド信号を通過させる受光窓２２は、イジェクトボタン２０の本体２０ａに形成されている。そのため、受光窓２２を設けるための専用のスペースを筐体１２の操作面１４に確保する必要がなく、その分、筐体１２を小型化、薄型化し、操作面を小さくすることが可能となる。また、受光窓２２の設置スペースを削減できる分だけ、各操作ボタンの設置スペースを拡大することができ、複数の操作ボタンを大型化し操作性向上を図ることが可能となる。更に、受光窓２２をイジェクトボタン２０に設けることにより、十分に大きな寸法の受光窓を形成することができる。そのため、リモートコントローラ３０から供給されたコマンド信号を確実に通過させ、受光センサ５２へ導くことができ、コマンド信号を確実にかつ安定して検知することができる。これにより、リモートコントローラ３０による記録再生装置の遠隔操作を確実とし、信頼性向上を図ることができる。
【００２９】
次に、記録再生装置１０の内部構成について説明する。図５は、記録再生装置の内部構成を概略的に示している。この図に示すように、記録再生装置１０は、２種類のディスクドライブ部を備えている。すなわち、記録再生装置１０は、光ディスク１０１を回転駆動し、情報の読み書きを実行するＤＶＤドライブとしてのディスクドライブ部１０２、およびハードディスクを駆動するハードディスクドライブ（以下、ＨＤＤと称する）部１０４を備えている。光ディスク１０１は、ビデオファイルを構築できる情報記録媒体である。
【００３０】
データ処理部１０３は、ディスクドライブ部１０２及びＨＤＤ部１０４に記録データを供給するとともに、再生された信号を受け取る。ディスクドライブ部１０２は、光ディスク１０１に対する回転制御系、レーザ駆動系、光学系などを有している。データ処理部１０３は、記録または再生単位のデータを取り扱うもので、バッファ回路、変調・復調回路、エラー訂正部などを含んでいる。
【００３１】
記録再生装置１０は、録画側を構成するエンコーダ部２００と、再生側を構成するデコーダ部３００と、装置本体の動作を統括して制御する制御部としてのマイクロコンピュータブロック４００とを主たる構成要素としている。エンコーダ部２００は、入力されたアナログビデオ信号やアナログオーディオ信号をデジタル化するビデオ用及びオーディオ用のアナログデジタルコンバータと、ビデオエンコーダと、オーディオエンコーダとを有している。更に、エンコーダ部２００は、映画の字幕などを圧縮する副映像エンコーダを含んでいる。
【００３２】
エンコーダ部２００の出力は、バッファメモリ２０３を含むフォーマッタ２０４にて所定のＤＶＤ（ＤＶＤ−Ｒ，ＤＶＤ−ＲＷ，ＤＶＤ−ＲＡＭ、など）フォーマットに変換され、先のデータ処理部１０３に供給される。エンコーダ部２００には、Ａ／Ｖ入力部２１１から外部アナログビデオ信号と外部アナログオーディオ信号、あるいはＴＶチューナ２１２からアナログビデオ信号とアナログオーディオ信号が入力される。なお、エンコーダ部２００は、圧縮されたデジタルビデオ信号やデジタルオーディオ信号が直接入力されるときは、圧縮デジタルビデオ信号やデジタルオーディオ信号を直接フォーマッタ２０４に供給することもできる。またエンコーダ部２００は、アナログデジタル変換されたデジタルビデオ信号及びオーディオ信号を、ビデオミキシング部３０５及びオーディオセレクタ３０１にそれぞれ直接供給することもできる。
【００３３】
エンコーダ部２００に含まれるビデオエンコーダでは、デジタルビデオ信号はＭＰＥＧ２またはＭＰＥＧ１規格に基づいた可変ビットレートで圧縮されたデジタルビデオ信号に変換される。オーディオ信号は、ＭＰＥＧまたはＡＣ−３規格に基づいて固定ビットレートで圧縮されたデジタルオーディオ信号、あるいはリニアＰＣＭのデジタルオーディオ信号に変換される。
【００３４】
副映像信号がＡ／Ｖ入力部２１１から入力された場合（例えば副映像信号の独立出力端子付ＤＶＤビデオプレーヤからの信号など）、あるいはこのようなデータ構成のＤＶＤビデオ信号がＴＶチューナ２１２で受信された場合は、ＤＶＤビデオ信号中の副映像信号が副映像エンコーダでエンコード（ランレングス符号化）されて副映像のビットマップとなる。
【００３５】
エンコードされたデジタルビデオ信号、デジタルオーディオ信号、副映像データは、フォーマッタ２０４にてパック化され、ビデオパック、オーディオパック、副映像パックとなり、さらにこれらが集合されてＤＶＤ−レコーディング規格（例えばＤＶＤ−ＲＡＭ、ＤＶＤ−Ｒ、ＤＶＤ−ＲＷなどに記録する規格）で規定されたフォーマットに変換される。
【００３６】
記録再生装置１０は、フォーマッタ２０４でフォーマット化された情報（ビデオ、オーディオ、副映像データなどのパック）及び作成された管理情報を、データ処理部１０３を介してＨＤＤ部１０４あるいはディスクドライブ部１０２に供給し、ハードディスクあるいは光ディスク１０１に記録する。また、ハードディスクあるいは光ディスク１０１に記録された情報を、データ処理部１０３、ディスクドライブ部１０２を介して光ディスク１０１あるいはハードディスクに記録することもできる。
【００３７】
また、ハードディスクあるいは光ディスク１０１に記録されている複数番組のビデオオブジェクトを、一部削除したり、異なる番組のオブジェクトをつなげたり、といった編集処理を行うこともできる。これは、ＤＶＤフォーマットが取り扱うデータ単位を定義し、このデータ単位で信号処理することで編集を容易にしているからである。
【００３８】
マイクロコンピュータブロック４００は、ＭＰＵ（マイクロプロセッシングユニット）、またはＣＰＵ（セントラルプロセッシングユニット）と、制御プログラム等が書きこまれたＲＯＭと、プログラム実行に必要なワークエリアを提供するためのＲＡＭとを含んでいる。
【００３９】
マイクロコンピュータブロック４００のＭＰＵは、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定などを実行する。
【００４０】
マイクロコンピュータブロック４００は、システム全体を制御するために必要な情報処理部を有するもので、ワークＲＡＭ、ディレクトリ検出部、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部などを備えている。
【００４１】
ＭＰＵの実行結果のうち、ユーザに通知すべき内容は、映像データ記録再生装置の表示部４０２に表示されるか、またはモニターディスプレイにＯＳＤ（オンスクリーンディスプレイ）表示される。前述した複数の操作ボタンを含み、記録再生装置１０を操作するための操作信号を与えるキー入力部４０１は、マイクロコンピュータブロック４００に操作信号を出力する。マイクロコンピュータブロック４００が、ディスクドライブ部１０２、ＨＤＤ部１０４、データ処理部１０３、エンコーダ部２００及び／またはデコーダ部３００などを制御するタイミングは、ＳＴＣ（システムタイムクロック）４０３からの時間データに基づいて設定することができる。  
録画や再生の動作は、通常はＳＴＣ４０３からのタイムクロックに同期して実行されるが、それ以外の処理はＳＴＣ４０３とは独立したタイミングで実行されてもよい。
【００４２】
デコーダ部３００は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。デコーダ部３００は、デコードされた主映像にデコードされた副映像を適宜合成し、主映像にメニュー、ハイライトボタン、字幕やその他の副映像を重ねて出力するビデオプロセッサを備えている。
【００４３】
デコーダ部３００の出力ビデオ信号は、ビデオミキシング部３０５に入力される。ビデオミキシング部３０５では、テキストデータの合成が行われる。ビデオミキシング部３０５には、ＴＶチューナ２１２やＡ／Ｖ入力部２１１からの信号を直接取り込むラインもまた接続されている。ビデオミキシング部３０５には、バッファとして用いるフレームメモリ３０６が接続されている。ビデオミキシング部３０５の出力がアナログ出力の場合、Ｉ／Ｆ（インタフェース）３０７を介して外部出力され、デジタル出力の場合はデジタルアナログ変換器３０８を介して外部へ出力される。
【００４４】
ビデオミキシング部３０５は、ＧＵＩとしての案内画面を作るための画像信号を出力することができる。この画像信号は、ＯＳＤ（オンスクリーンディスプレイ）と称される場合もある。画像信号は、マイクロコンピュータブロック４００内の案内画面処理制御部４０ｂにより制御されている。案内画面処理制御部４０ｂの機能及び動作についてはさらに後で詳しく説明する。
【００４５】
デコーダ部３００の出力オーディオ信号は、セレクタ３０１を介してデジタルアナログ変換器３０２でアナログ変換され外部に出力される。セレクタ３０１は、マイクロコンピュータブロック４００からのセレクト信号により制御される。これによりセレクタ３０１は、ＴＶチューナ２１２やＡ／Ｖ入力部２１１からのデジタル信号を直接モニタする時、エンコーダ部２００をスルーした信号を直接選択することも可能である。
【００４６】
なお、エンコーダ部２００のフォーマッタでは、録画中、各切り分け情報を作成し、定期的にマイクロコンピュータブロック４００のＭＰＵへ送る（ＧＯＰ先頭割り込み時などの情報）。切り分け情報としては、ＶＯＢＵ（ビデオオブジェクトユニット）のパック数、ＶＯＢＵ先頭からのＩピクチャのエンドアドレス、ＶＯＢＵの再生時間などである。
【００４７】
同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報を元に初期設定が行われる。
【００４８】
本記録再生装置１０では、ビデオファイルは１ディスクに１ファイルとしている。またデータをアクセス（シーク）している間に、途切れないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムではこのＣＤＡ単位で記録を行っている。
【００４９】
データ処理部１０３は、エンコーダ部２００のフォーマッタからＶＯＢＵ単位のデータを受け取り、ＣＤＡ単位のデータをディスクドライブ部１０２あるいはＨＤＤ部１０４に供給している。マイクロコンピュータブロック４００のＭＰＵは、記録したデータを再生するのに必要な管理情報を作成し、データ記録終了のコマンドを認識すると、作成した管理情報をデータ処理部１０３に送る。これにより、管理情報がディスクに記録される。従って、エンコードが行われているとき、エンコーダ部２００からマイクロコンピュータブロック４００のＭＰＵは、データ単位の情報（切り分け情報など）を受け取る。また、マイクロコンピュータブロック４００のＭＰＵは、記録開始時には光ディスク及びハードディスクから読み取った管理情報（ファイルシステム）を認識し、各ディスクの未記録エリアを認識し、データ上の記録エリアをデータ処理部１０３を介してディスクに設定している。
【００５０】
マイクロコンピュータブロック４００は、受光センサ５２からの検出信号が入力される操作入力判定部４０ａを備えている。リモートコントローラ３０から供給されたコマンド信号は、受光センサ５２で検出された後、操作入力判定部４０ａに入力される。入力されたコマンド信号は、操作入力判定部４０ａで判定され、案内画面処理制御部４０ｂの操作入力論理判定部で論理的に判断される。そして、マイクロコンピュータブロック４００は、判断されたコマンド信号に基づいて、対応する構成部を作動させ、コマンド信号に応じた動作を実行する。
【００５１】
以上のように構成された記録再生装置によれば、リモートコントローラからのコマンド信号を安定して受信可能であるとともに、小型化、薄型化を可能とした画像記録再生装置を実現することができる。
【００５２】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００５３】
例えば、この発明は、前述したが画像記録再生装置に限らず、ＭＤプレーヤ、ハードディスクレコーダ、ＣＤプレーヤ等の音楽記録再生装置や画像記録再生装置、あるいは、プラズマディスプレイ、液晶ディスプレイ等の平面表示装置、その他、リモートコントローラによって遠隔操作可能な種々の電子機器に適用可能である。
【００５４】
受光窓は、イジェクトボタンに限らず、他の操作ボタンに設けてもよく、また、複数の操作ボタンに設ける構成としてもよい。操作ボタンおよび受光窓の形状は、円形に限らず任意の形状とすることができる。操作ボタンは、筐体の前面に限らず、任意の場所に設けることが可能である。操作ボタンの支持構造は、前述したアーム部の弾性変形を利用した構造に限らず、種々の支持構造を用いることができる。
【図面の簡単な説明】
【００５５】
【図１】図１は、この発明の実施形態に係る記録再生装置を示す斜視図。
【図２】図２は、前記記録再生装置の筐体の前面部および回路基板を示す分解斜視図。
【図３】図３は、イジェクトボタンおよび受光部を含む前記記録再生装置の断面図。
【図４】図４は、前記イジェクトボタンを示す平面図および斜視図。
【図５】図５は、前記記録再生装置の内部構造を概略的に示すブロック図。
【符号の説明】
【００５６】
１０…記録再生装置、  １２…筐体、  １２ｃ…前面パネル、  １４…操作面、
１６…ディスクトレイ、  ２０…イジェクトボタン、  ２２…受光窓、
２０ａ…本体、  ２６…押圧突部、  ２８…アーム部、
３０…リモートコントローラ、  ３２…保護カバー、  ５０…プリント回路基板、
５２…受光センサ、  ５２ａ…受光部、  ５４…イジェクトスイッチ、
１０１…光ディスク、  １０２…ディスクドライブ部、  １０４…ＨＤＤ部、
４００…マクロコンピュータブロック
【図１】
2006324799.tif 000003
【図２】
2006324799.tif 000004
【図３】
2006324799.tif 000005
【図４】
2006324799.tif 000006
【図５】
2006324799.tif 000007